(57)【特許請求の範囲】
【請求項１】
底縁が直線状である薄板材からなる基台と、上記基台の複数箇所に平行として設けられる同一形態の脚部材とを含み、
上記脚部材の各々は、第１上辺、左右の第１両側辺および第１下辺の４辺を有し、上記第１上辺が上記底縁とほぼ平行な折り目線、残りの上記第１両側辺および上記第１下辺の３辺が切れ目線で、上記第１上辺の折り目線により上記第１下辺側が上記基台からその裏面側に切り起こし可能な第１脚片と、
上記第１脚片内に配置された第２上辺、左右の第２両側辺および第２下辺の４辺を有し、上記第２下辺が上記底縁とほぼ平行な折り目線、残りの上記第２上辺および上記第２両側辺の３辺が切れ目線で、上記第２下辺の折り目線により上記第２上辺側が上記第１脚片内から上記基台の表面側に切り起こし可能な第２脚片とを備え、
上記第２脚片の上記第２上辺側には、上記基台の底縁に対する係止部と、書見物の頁のめくれを防止する頁ホルダとを有する支持部が設けられていることを特徴とする書見台。
【請求項２】
上記支持部は、上記第２両側辺の所定部位から上記第２上辺にかけて谷折り線を介して上記第２脚片の内側に向けてほぼ直角に折り曲げられる左右一対の側板からなり、上記側板に上記係止部として上記基台の底縁が差し込まれる係止スリットが形成されており、上記係止スリットから上記第２上辺にかけての部分に上記書見物が載置されることを特徴とする請求項１に記載の書見台。
【請求項３】
上記頁ホルダは、上記側板の端縁より側方に突出する翼片として上記側板の先端部分に一体に連設されていることを特徴とする請求項２に記載の書見台。
【請求項４】
上記頁ホルダは、上記第２脚片とは別部材として形成された所定の大きさを有する保持板からなり、上記側板には、上記係止スリットと上記第２上辺との間に上記保持板が着脱自在に差し込まれる頁ホルダ取付用スリットが形成されていることを特徴とする請求項２に記載の書見台。
【請求項５】
上記第２脚片の上記第２上辺側に別部材として取り付けられるアタッチメントを備え、上記アタッチメントに上記係止部と上記頁ホルダを有する上記支持部とが設けられていることを特徴とする請求項１に記載の書見台。
【請求項６】
上記アタッチメントは、上記第２脚片に取り付けられる基板と、上記基板の両側辺に谷折り線を介して上記基板の内側に向けてほぼ直角に折り曲げられる左右一対の側板とを有し、上記側板に上記係止部として上記基台の底縁が差し込まれる係止スリットが形成されており、上記係止スリットから上記第２上辺にかけての部分に上記頁ホルダを有する上記支持部が設けられていることを特徴とする請求項５に記載の書見台。
【請求項７】
上記アタッチメントは、上記第２脚片の上記第２上辺側に取り付けられる四角柱状のブロック体からなり、上記ブロック体には、上記第２上辺とほぼ平行な少なくとも第１および第２の２つのスリット穴が上記第２脚片の長さ方向に沿って所定の間隔で形成されており、上記頁ホルダとして、上記第２上辺に近い側の上記第１スリット穴に挿脱自在に差し込まれる頁押さえ片が用いられ、上記係止部が、上記第２スリット穴と、上記第２スリット穴に係合するように上記基台の底縁に形成された舌片との組合せからなることを特徴とする請求項５に記載の書見台。
【請求項８】
上記ブロック体は、上記頁押さえ片を不使用時に保管する保管部を備えていることを特徴とする請求項７に記載の書見台。
【請求項９】
上記基台は、厚紙からなることを特徴とする請求項１ないし８のいずれか１項に記載の書見台。
【請求項１０】
上記基台は、Ａ３サイズ以上の大きさで中央部分から２つ折り可能であり、その左右の各葉ごとに上記脚部材が設けられていることを特徴とする請求項１ないし９のいずれか１項に記載の書見台。
【請求項１１】
底縁が直線状である薄板材からなる基台と、上記基台の複数箇所に平行として設けられる同一形態の脚部材とを含み、
上記脚部材の各々は、第１上辺、左右の第１両側辺および第１下辺の４辺を有し、上記第１上辺が上記底縁とほぼ平行な折り目線、残りの上記第１両側辺および上記第１下辺の３辺が切れ目線で、上記第１上辺の折り目線により上記第１下辺側が上記基台からその裏面側に切り起こし可能な第１脚片と、
上記第１脚片内に配置された第２上辺、左右の第２両側辺および第２下辺の４辺を有し、上記第２下辺が上記底縁とほぼ平行な折り目線、残りの上記第２上辺および上記第２両側辺の３辺が切れ目線で、上記第２下辺の折り目線により上記第２上辺側が上記第１脚片内から上記基台の表面側に切り起こし可能な第２脚片とを備え、
上記基台の下端には、上記基台の底縁に沿って平行、かつ、上記基台に対して内側に谷折りされる台座部が設けられており、
上記第２脚片の上記第２上辺側には、上記台座部に対する係止部と、書見物の頁のめくれを防止する頁ホルダとを有する支持部が設けられていることを特徴とする書見台。
【請求項１２】
上記支持部は、上記第２両側辺の所定部位から上記第２上辺にかけて谷折り線を介して上記第２脚片の内側に向けて折り曲げられる左右一対の側板からなり、上記側板には、上記側板を所定の折曲角度で保持するストッパー部が設けられていることを特徴とする請求項１１に記載の書見台。
【請求項１３】
上記ストッパー部は、上記基台の上記第１脚片に相当する開口縁の一部に当接することを特徴とする請求項１２に記載の書見台。
【請求項１４】
上記係止部は、底部に上記台座部が係止されるＵ字状の係止溝からなり、上記係止溝は、入口側の開口幅が上記台座部の折曲代よりも狭く形成されていることを特徴とする請求項１１ないし１３のいずれか１項に記載の書見台。
【請求項１５】
上記第２脚片の上記第２上辺側には、上記第２上辺から内側に向かってＵ字状に切り欠かれた指かけ部が形成されており、上記指かけ部をきっかけとして、上記脚部材が上記台座部から切り起こされることを特徴とする請求項１１ないし１４のいずれか１項に記載の書見台。
【発明の詳細な説明】
【技術分野】
【０００１】
本発明は、机上で書物等を立てかける書見台に関し、さらに詳しく言えば、薄型として持ち運びが容易であるとともに、使用時には簡単に組み立てられ、しかも安価に作製することができる、特に楽譜用に好適な書見台に関するものである。
【背景技術】
【０００２】
例えば特許文献１，２には、携帯を意図して作製された書見台が提案されている。このうち、特許文献１に記載された発明に係る書見台は、厚紙もしくはプラスチック板からなる上板と下板とを先端部で貼り合わせた書見台本体と、弾性を有するページホルダーとを備えている。
【０００３】
使用時には、下板を台板として上板を所定角度まで立て起こし、下板から切り起こされる支え板にて上板を書物が立てかけられる角度に支持するようにし、書物のページ捲れ防止のためのページホルダーを書見台本体に取り付ける。これに対して、携帯時には、上板から支え板を外し、上板を下板に重ねてページホルダーを外すことにより、平坦な形態とすることができる。
【０００４】
また、特許文献２に記載された発明に係る書見台では、上面が開放された扁平な箱形基台と、箱形基台の後端に起伏可能に枢着された支え台と、支え台を所定角度の起立位置に保持する起立位置保持手段と、箱形基台の前端に引き出し可能に設けられた受け台とを備えている。
【０００５】
使用時には、支え台を箱形基台内から所定角度にまで起立させて起立位置保持手段によりその起立位置に保持するとともに、受け台を箱形基台内から引き出して、書物を受け台に載せ、その背側を支え台の前端に立てかけて見やすい傾斜状態とする。これに対して、携帯時には、支え台を箱形基台内にしまい込むとともに、受け台を押し込んで箱形基台内に格納することにより、扁平な箱状の形態とすることができる。
【先行技術文献】
【特許文献】
【０００６】
【特許文献１】特開平５−１５４０１８号公報
【特許文献２】特開平７−３１３２６０号公報
【発明の概要】
【発明が解決しようとする課題】
【０００７】
上記したように、特許文献１，２による書見台のいずれも、携帯時には、持ち運びし易いように扁平（平坦）に折り畳むことができる。
【０００８】
しかしながら、特許文献１による書見台について言えば、簡易型で見た目は構成が簡素であるものの、基本的には形状の異なる上板と下板とからなるため、これらを例えばトムソン刃で厚紙から打ち抜くにしても、上板用と下板用の２つのトムソン刃が必要であり、その分、コストが高くなる。また、上板と下板とを貼り合わせるにの手間がかかる。
【０００９】
また、特許文献２による書見台の場合には、本格的な構成で、多くの部品により組み立てられるため、作製には多くのコストと手間がかかる、という問題がある。
【００１０】
したがって、本発明の課題は、薄型として持ち運びが容易であるとともに、使用時には簡単に組み立てられ、しかも安価に作製することができる、特に楽譜用に好適な書見台を提供することにある。
【課題を解決するための手段】
【００１１】
上記課題を解決するため、請求項１に係る発明は、底縁が直線状である薄板材からなる基台と、上記基台の複数箇所に平行として設けられる同一形態の脚部材とを含み、
上記脚部材の各々は、第１上辺、左右の第１両側辺および第１下辺の４辺を有し、上記第１上辺が上記底縁とほぼ平行な折り目線、残りの上記第１両側辺および上記第１下辺の３辺が切れ目線で、上記第１上辺の折り目線により上記第１下辺側が上記基台からその裏面側に切り起こし可能な第１脚片と、
上記第１脚片内に配置された第２上辺、左右の第２両側辺および第２下辺の４辺を有し、上記第２下辺が上記底縁とほぼ平行な折り目線、残りの上記第２上辺および上記第２両側辺の３辺が切れ目線で、上記第２下辺の折り目線により上記第２上辺側が上記第１脚片内から上記基台の表面側に切り起こし可能な第２脚片とを備え、
上記第２脚片の上記第２上辺側には、上記基台の底縁に対する係止部と、書見物の頁のめくれを防止する頁ホルダとを有する支持部が設けられていることを特徴としている。
【００１２】
請求項２に係る発明は、上記請求項１において、上記支持部は、上記第２両側辺の所定部位から上記第２上辺にかけて谷折り線を介して上記第２脚片の内側に向けてほぼ直角に折り曲げられる左右一対の側板からなり、上記側板に上記係止部として上記基台の底縁が差し込まれる係止スリットが形成されており、上記係止スリットから上記第２上辺にかけての部分に上記書見物が載置されることを特徴としている。
【００１３】
請求項３に係る発明は、上記請求項２において、上記頁ホルダは、上記側板の端縁より側方に突出する翼片として上記側板の先端部分に一体に連設されていることを特徴としている。
【００１４】
請求項４に係る発明は、上記請求項２において、上記頁ホルダは、上記第２脚片とは別部材として形成された所定の大きさを有する保持板からなり、上記側板には、上記係止スリットと上記第２上辺との間に上記保持板が着脱自在に差し込まれる頁ホルダ取付用スリットが形成されていることを特徴としている。
【００１５】
請求項５に係る発明は、上記請求項１において、上記第２脚片の上記第２上辺側に別部材として取り付けられるアタッチメントを備え、上記アタッチメントに上記係止部と上記頁ホルダを有する上記支持部とが設けられていることを特徴としている。
【００１６】
請求項６に係る発明は、上記請求項５において、上記アタッチメントは、上記第２脚片に取り付けられる基板と、上記基板の両側辺に谷折り線を介して上記基板の内側に向けてほぼ直角に折り曲げられる左右一対の側板とを有し、上記側板に上記係止部として上記基台の底縁が差し込まれる係止スリットが形成されており、上記係止スリットから上記第２上辺にかけての部分に上記頁ホルダを有する上記支持部が設けられていることを特徴としている。
【００１７】
請求項７に係る発明は、上記請求項５において、上記アタッチメントは、上記第２脚片の上記第２上辺側に取り付けられる四角柱状のブロック体からなり、上記ブロック体には、上記第２上辺とほぼ平行な少なくとも第１および第２の２つのスリット穴が上記第２脚片の長さ方向に沿って所定の間隔で形成されており、上記頁ホルダとして、上記第２上辺に近い側の上記第１スリット穴に挿脱自在に差し込まれる頁押さえ片が用いられ、上記係止部が、上記第２スリット穴と、上記第２スリット穴に係合するように上記基台の底縁に形成された舌片との組合せからなることを特徴としている。
【００１８】
請求項８に係る発明は、上記請求項７において、上記ブロック体は、上記頁押さえ片を不使用時に保管する保管部を備えていることを特徴としている。
【００１９】
請求項９に係る発明は、上記請求項１ないし８のいずれか１項において、上記基台は、厚紙からなることを特徴としている。
【００２０】
請求項１０に係る発明は、上記請求項１ないし９のいずれか１項において、上記基台は、Ａ３サイズ以上の大きさで中央部分から２つ折り可能であり、その左右の各葉ごとに上記脚部材が設けられていることを特徴としている。
【００２１】
本発明には、次のような態様も含まれる。すなわち、請求項１１に係る発明は、底縁が直線状である薄板材からなる基台と、上記基台の複数箇所に平行として設けられる同一形態の脚部材とを含み、上記脚部材の各々は、第１上辺、左右の第１両側辺および第１下辺の４辺を有し、上記第１上辺が上記底縁とほぼ平行な折り目線、残りの上記第１両側辺および上記第１下辺の３辺が切れ目線で、上記第１上辺の折り目線により上記第１下辺側が上記基台からその裏面側に切り起こし可能な第１脚片と、上記第１脚片内に配置された第２上辺、左右の第２両側辺および第２下辺の４辺を有し、上記第２下辺が上記底縁とほぼ平行な折り目線、残りの上記第２上辺および上記第２両側辺の３辺が切れ目線で、上記第２下辺の折り目線により上記第２上辺側が上記第１脚片内から上記基台の表面側に切り起こし可能な第２脚片とを備え、上記基台の下端には、上記基台の底縁に沿って平行、かつ、上記基台に対して内側に谷折りされる台座部が設けられており、上記第２脚片の上記第２上辺側には、上記台座部に対する係止部と、書見物の頁のめくれを防止する頁ホルダとを有する支持部が設けられていることを特徴としている。
【００２２】
請求項１２に係る発明は、上記支持部は、上記第２両側辺の所定部位から上記第２上辺にかけて谷折り線を介して上記第２脚片の内側に向けて折り曲げられる左右一対の側板からなり、上記側板には、上記側板を所定の折曲角度で保持するストッパー部が設けられていることを特徴としている。
【００２３】
請求項１３に係る発明は、上記ストッパー部は、上記基台の上記第１脚片に相当する開口縁の一部に当接することを特徴としている。
【００２４】
請求項１４に係る発明は、上記係止部は、底部に上記台座部が係止されるＵ字状の係止溝からなり、上記係止溝は、入口側の開口幅が上記台座部の幅よりも狭く形成されていることを特徴としている。
【００２５】
請求項１５に係る発明は、上記第２脚片の上記第２上辺側には、上記第２上辺から内側に向かってＵ字状に切り欠かれた指かけ部が形成されており、上記指かけ部をきっかけとして、上記脚部材が上記台座部から切り起こされることを特徴としている。
【発明の効果】
【００２６】
本発明によれば、薄板材（好ましくは厚紙）からなる基台の複数箇所に、例えばトムソン刃により同一形態の脚部材を形成することにより、１枚の薄板材からなる書見台を安価に作製することができる。不使用時、各脚部材を基台内に含ませることにより、ほとんど１枚状態になるため、鞄等に入れて容易に持ち運ぶことができる。
【００２７】
使用時には、第１脚片の第１下辺側を第１上辺の折り目線を介して基台の裏面側に切り起こしたのち、第２脚片の第２上辺側を第２下辺の折り目線を介して第１脚片内から基台の表面側に切り起こし、基台の底縁を第２脚片の支持部に係止することにより、基台を所定角度に傾斜させた状態に組み立てることができる。本発明の書見台は、特に楽譜用として好適である。
【００２８】
また、第２脚片の支持部には、書見物の頁のめくれを防止する頁ホルダが設けられているため、楽譜等の書見物を見開いた状態で安定してセット載置することができる。さらには、基台をＡ３サイズ以上の大きさで中央部分から２つ折り可能とすることにより、携帯時には、Ａ４サイズの大きさで持ち運ぶことができ、使用時には、Ａ３サイズに広げることにより、見開きでＡ３サイズの用紙までセットすることができる。
【図面の簡単な説明】
【００２９】
【図１】本発明の第１実施形態に係る書見台を平坦にした状態を示す平面図。
【図２】（ａ）〜（ｃ）上記第１実施形態における脚部材の組み立て手順を示す斜視図。
【図３】上記脚部材に含まれる第２脚片の先端部分の構成を示す斜視図。
【図４】上記第２脚片の先端部分に基台の底縁を係止する状態を示す斜視図。
【図５】上記第１実施形態に係る書見台の組み立て状態を示す斜視図。
【図６】（ａ）本発明の第２実施形態に係る書見台の一部分を示す平面図、（ｂ）上記第２実施形態で用いられる頁ホルダを含む第２脚片の先端部分を示す斜視図。
【図７】本発明の第３実施形態に係る書見台の第２脚片の先端部分を示す分解斜視図。
【図８】本発明の第４実施形態に係る書見台の要部である（ａ）第２脚片の先端部分を示す前方から見た分解斜視図、（ｂ）その側面図、（ｃ）後方斜視図。
【図９】本発明の第５実施形態に係る書見台を平坦にした状態を示す平面図。
【図１０】上記第５実施形態に係る書見台の組み立て状態を示す斜視図。
【図１１】上記第５実施形態に係る書見台の第２脚片の先端部の拡大斜視図。
【図１２】上記第５実施形態に係る書見台の係止部の係止構造を説明する拡大斜視図。
【発明を実施するための形態】
【００３０】
次に、図１ないし図８を参照して、本発明のいくつかの実施形態について説明するが、本発明には、当業者がこれらの実施形態と実質的に均等と理解される態様も含まれる。
【００３１】
まず、図１ないし図５により、第１実施形態に係る書見台１ａについて説明する。図１に示すように、この書見台１ａは、薄板材からなる基台１０を備えている。材質はボール紙等の厚紙もしくはプラスチック板であるが、好ましくは厚紙がよい。
【００３２】
基台１０の好ましい外形形状は、上縁１０ａ，左側縁１０ｂ，右側縁１０ｃおよび底縁１０ｄを有する四角形であるが、底縁１０ｄが直線状であれば、四角形以外の形状であってもよい。この実施形態において、基台１０はＡ３サイズの大きさで、左側縁１０ｂと右側縁１０ｃとの中間部分に谷折り線１０ｅを有し、携帯時には、Ａ４サイズに折り畳み可能である。基台１０はＡ３サイズ以外の大きさであってもよい。
【００３３】
基台１０には、使用時に基台１０を所定の角度の傾斜状態とするための脚部材２０が設けられている。この実施形態によると、脚部材２０は、基台１０の左頁部分１３ａと右頁部分１３ｂとに、それぞれ２つずつ、計４箇所に配置されている。各脚部材２０は、同一構成でかつ互いに平行である。
【００３４】
脚部材２０には、第１脚片３０と第２脚片４０とが含まれ、各脚片３０，４０ともに基台１０内で例えばトムソン刃により形成される。
【００３５】
第１脚片３０は、上辺３１、左右の側辺３２，３２および下辺３３の４辺を有する縦長の短冊状であり、上辺３１が底縁１０ｄとほぼ平行な折り目線、残りの両側辺３２，３２および下辺３３の３辺が切れ目線により基台１０から切り離されており、上辺３１の折り目線により下辺３３側が基台１０からその裏面側（図１において紙面裏側）に切り起こし可能である。
【００３６】
第２脚片４０は、上辺４１、左右の両側辺４２，４２および下辺４３の４辺を有し、縦長の短冊状として第１脚片３０内に配置されている。
【００３７】
第２脚片４０においては、下辺４３が底縁１０ｄとほぼ平行な折り目線、残りの上辺４１および両側辺４２，４２の３辺が切れ目線により基台１０から切り離されており、下辺４３の折り目線により上辺側４１が第１脚片３０内から基台１０の表面側に切り起こし可能である。
【００３８】
なお、第１脚片３０の上辺３１と第２脚片４０の下辺４３の各折り目線の部分に、折り曲げ容易とするためのミシン目もしくはハーフカット（脆弱線）が入れられてよいが、このような加工を施すことなく、あらかじめ単に折り癖をつけておいてもよい。
【００３９】
第２脚片４０の上辺４１側（先端側）には、基台１０の底縁１０ｄに対する係止部４５と、図示しない書見物の頁のめくれを防止する頁ホルダ４６とを有する支持部４０ａが設けられている。
【００４０】
この第１実施形態において、支持部４０ａは、両側辺４２，４２の所定部位から上辺４１にかけて谷折り線４２ａ，４２ａを介して第２脚片４０の内側に向けてほぼ直角に折り曲げられる左右一対の側板４４，４４を備え、これら側板４４，４４に基台１０の底縁１０ｄに対する係止部４５としての係止スリット４５ａ，４５ｂが形成されている。この実施形態では、係止スリットを２つとしているが１つでもよい。
【００４１】
また、この第１実施形態によれば、両側辺４２，４２の先端部分には、書見物の頁めくれを防止する頁ホルダ４６が、側板４２，４２の端縁より側方に突出する翼片４６ａ，４６ａとして形成されている。
【００４２】
不使用時（鞄等に入れての携帯時）、基台１０は中間部分の谷折り線１０ｅを介して２つ折りに畳まれ、図２（ａ）に示すように、脚部材２０は基台１０の面内に納められている。
【００４３】
この状態から書見台１ａを組み立てて使用するには、まず、図２（ｂ）に示すように、第１脚片３０の下辺３３側を、その上辺３１の折り目線を谷折りとして、基台１０の裏面側に切り起こしたのち、図２（ｃ）に示すように、第２脚片４０の上辺４１側を、その下辺４３の折り目線を山折りとして、第１脚片３０内から基台１０の表面側に切り起こす。
【００４４】
次に、図３に示すように、側板４４，４４を谷折り線４２ａ，４２ａを介して第２脚片４０の内側に向けてほぼ直角に折り曲げて支持部４０ａとする。そして、図４に示すように、基台１０の底縁１０ｄを係止スリット４５ａ，４５ｂのいずれかに差し込む。この操作を各脚部材２０について行うことにより、図５に示すように、脚部材２０により基台１０が所定の傾斜角に保持された書見台とすることができる。
【００４５】
なお、基台１０の底縁１０ｄを係止スリット４５ａ，４５ｂのいずれかに差し込むにあたって、図４に示すように、基台１０の底縁１０ｄの支持部４０ａと対応する部分に、係止スリットと噛み合うスリット１１ａ，１１ａを形成して、それらの間を舌片１２とし、スリット１１ａ，１１ａを係止スリット４５ａ（もしくは４５ｂ）にかみ合わせながら、舌片１２を側板４４，４４間に差し込むようにすることにより、基台１０の底縁１０ｄをより強固に支持部４０ａに取り付けることができる。
【００４６】
係止スリット４５ａ，４５ｂのいずれかを選択するかは、支持部４０ａに載せる書見物の厚さによる。すなわち、書見物の厚さが薄い場合には、基台１０の底縁１０ｄを先端側の係止スリット４５ａに係止し、書見物の厚さが厚ければ、後ろ側の係止スリット４５ｂに係止すればよい。いずれにしても、頁ホルダ４６として側板４２，４２の端縁より突出している翼片４６ａ，４６ａにより、書見物の頁捲れが防止される。
【００４７】
次に、図６（ａ），（ｂ）により、第２実施形態に係る書見台１ｂについて説明する。なお、上記第１実施形態と変更を要しない構成要素には同じ参照符号を付し、その説明は省略する。また、作図の都合上、図６（ａ）には１つの脚部材２０しか示されていないが、第２実施形態においても、図１と同じく、基台１０には複数の脚部材２０が配置される。
【００４８】
この第２実施形態に係る書見台１ｂは、頁ホルダ４６の構成が上記第１実施形態と異なっている。他の構成要素は、上記第１実施形態と特に変更を要しない。
【００４９】
すなわち、上記第１実施形態では、頁ホルダ４６を支持部４０ａの先端に一体に形成された翼片４６ａ，４６ａとしているが、この第２実施形態において、頁ホルダ４６には、図６（ｂ）に示すように、第２脚片４０とは別部材として形成された所定の大きさを有する頁押さえ板４６ｂが用いられる。
【００５０】
これに伴って、支持部４０ａには、係止部４５（係止スリット４５ａ，４５ｂ）よりも上辺４１側（先端側）に頁ホルダ取付用スリット４７，４７が設けられる。不使用時（鞄等に入れての携帯時）、頁押さえ板４６ｂは、基台１０から取り外されるが、使用時（組立時）には、支持部４０ａから上方に突出するように頁ホルダ取付用スリット４７，４７に差し込まれる。
【００５１】
その際、頁押さえ板４６ｂの下辺の支持部４０ａと対応する部分に、頁ホルダ取付用スリット４７，４７と噛み合うスリット４６１，４６１を形成して、それらの間を舌片４６２とし、スリット４６１，４６１を頁ホルダ取付用スリット４７，４７にかみ合わせながら、舌片４６２を側板４４，４４間に差し込むようにすることにより、頁ホルダ４６としての頁押さえ板４６ｂをより強固に支持部４０ａに取り付けることができる。
【００５２】
次に、図７を参照して、第３実施形態に係る書見台１ｃについて説明する。上記第１実施形態では、支持部４０ａを第２脚片４０に一体として形成しているが、この第３実施形態のように、支持部４０ａを第２脚片４０とは別部材のアタッチメントとして形成し、第２脚片４０の先端部分に接着材等を介して貼り付けるようにしてもよい。
【００５３】
このアタッチメントとして形成される支持部４０ａも基台１０と同じく厚紙製であることが好ましく、また、側板４４，４４が谷折り線４２ａ，４２ａを介して折り曲げ可能で、不使用時には平らに展開されるようにするとよい。なお、図７には、第２脚片４０の先端部分しか示されていないが、この第３実施形態に係る書見台１ｃにおいて、基台１０や第１脚片３０等の他の部材については、上記第１実施形態と同じであってよい（図１〜図５等参照）。
【００５４】
次に、図８（ａ）〜（ｃ）を参照して、第４実施形態に係る書見台１ｄについて説明する。この第４実施形態に係る書見台１ｄにおいても、上記第３実施形態と同じく、支持部４０ａを第２脚片４０の先端側に取り付けられるアタッチメントとしているが、この第４実施形態では、支持部４０ａとして、第２脚片４０に沿って細長に延びる四角柱状のブロック体からなる支持部材４１０を用いる。基台１０や第１脚片３０等の他の部材については、上記第１実施形態と同じであってよい（図１〜図５等参照）。
【００５５】
支持部材４１０は、例えば紙材やコルク材から構成されてよく、その上面には、基台１０の底縁１０ｄ（好ましくは、スリット１１ａ，１１ａ間に形成される舌片１２）が差し込まれる係止スリット４１１が形成されている。
【００５６】
この第４実施形態では、係止スリット４１１として、第２脚片４０の上辺（先端）４１とほぼ平行な２つのスリット穴４１１ａ，４１１ｂを第２脚片４０の長さ方向に沿って所定の間隔で形成しており、基台１０の底縁１０ｄに形成されている上記舌片１２を、書見物の厚さに応じてスリット穴４１１ａ，４１１ｂのいずれか一方に差し込めるようにしている。
【００５７】
また、この第４実施形態では、頁ホルダ４６として、短冊状をなす頁押さえ片４２０が用いられるとともに、支持部材４１０の上面には、頁押さえ片４２０を差し込んで頁押さえとするためのスリット穴４１２が設けられている。
【００５８】
この第４実施形態において、スリット穴４１２は、支持部材４１０の先端と、この先端に近い側のスリット穴４１１ａとの間に設けられるが、場合によっては、頁押さえ片差込用のスリット穴４１２を設けることなく、支持部材４１０の先端に近い側のスリット穴４１１ａに頁押さえ片４２０を差し込むようにすることもできる。
【００５９】
また、この第４実施形態において、支持部材４１０は、頁押さえ片４２０を不使用時に保管する保管部４１３を備えている。この第４実施形態では、図８（ｃ）に示すように、支持部材４１０の後端側からその底面に沿って頁押さえ片４２０を差し込めるスリット４１３ａを形成し、これを頁押さえ片４２０の保管部４１３としている。これによれば、頁押さえ片４２０の紛失を防止することができる。
【００６０】
次に、図９〜図１２を参照して、本発明の第５実施形態に係る書見台について説明する。なお、上述した各実施形態と同一または同一と見なされる箇所には同じ参照符号を付した。図９および図１０に示すように、この書見台１ｅは、中央の谷折り線１０ｅを挟んで左右対称に折り畳み可能な基台１０を有し、基台１０の底縁１０ｄが直線状に形成されている。この実施形態において、基材１０はＡ３横規格サイズで谷折り線１０ｅを挟んでＡ４縦サイズに折り畳まれている。
【００６１】
この第５実施形態において、基台１０の下端には、基台１０の底縁１０ｄに沿って平行、かつ、基台１０に対して内側に谷折りされる台座部１４が設けられている。台座部１４は、基台１０の下端（底縁１０ｄ）から等幅な折曲代（この例では２５ｍｍ）をもって左右に連続して形成されている。
【００６２】
台座部１４は、例えば楽譜などの被設置物の下端部を支持して立て掛けるための台座であり、この実施形態において、基台１０の左右に連続して形成されているが、台座部１４は、少なくとも脚部材によって係止される部分に形成されていればよい。また、台座部１４の折曲代は必ずしも等幅である必要はなく、各実施形態と共通で底縁１０ｄが水平であればよい。
【００６３】
基台１０には、使用時に基台１０を所定の角度の傾斜状態とするための脚部材２０Ａが設けられている。この第５実施形態によると、脚部材２０Ａは、基台１０の左頁部分１３ａと右頁部分１３ｂとに、それぞれ１つずつ、計２箇所に配置されている。各脚部材２０Ａは、同一構成脚でかつ互いに平行である。
【００６４】
脚部材２０Ａには、第１脚片３０Ａと第２脚片４０Ａとが含まれ、各脚片３０Ａ，４０Ａともに基台１０内で例えばトムソン刃により形成される。
【００６５】
第１脚片３０Ａは、上辺３１、左右の側辺３２，３２および下辺３３の４辺を有する縦長の短冊状であり、基端側（上辺３１側）が幅広であり、先端側（下辺３３側）が基端側よりも細幅に形成されている。第１脚片３０Ａは、上辺３１が底縁１０ｄとほぼ平行な折り目線、残りの両側辺３２，３２および下辺３３の３辺が切れ目線により基台１０から切り離されており、上辺３１の折り目線により下辺３３側が基台１０からその裏面側（図９において紙面裏側）に切り起こし可能である。
【００６６】
第２脚片４０Ａは、上辺４１、左右の両側辺４２，４２および下辺４３の４辺を有し、縦長の短冊状として第１脚片３０Ａ内に配置されている。
【００６７】
第２脚片４０Ａにおいては、下辺４３が底縁１０ｄとほぼ平行な折り目線、残りの上辺４１および両側辺４２，４２の３辺が切れ目線により基台１０から切り離されており、下辺４３の折り目線により上辺側４１が第１脚片３０Ａ内から基台１０の表面側に切り起こし可能である。
【００６８】
第２脚片４０Ａの上辺４１側（先端側）には、上辺４１から内側に向かってＵ字状に切り欠かれた指かけ部４１１が形成されている。この指かけ部４１１を切り起しのきっかけとして、脚部材２０Ａが台座部１０から切り起こされるようになっている。
【００６９】
第２脚片４０Ａの上辺４１側（先端側）には、所定部位から上辺４１にかけて谷折り線４２ａ，４２ａを介して第２脚片４０の内側に折り曲げられる左右一対の側板４４，４４を備えている。
【００７０】
側板４４，４４は第２脚片４０Ａを挟んで左右対称形状であり、その各々には、基台１０の台座部１４に対する係止部４５と、図示しない書見物の頁のめくれを防止する頁ホルダ４６と、側板４４，４４を第２脚片４０Ａに対して所定の折曲角で保持するストッパー部４７とを備えている。
【００７１】
係止部４５は、側板４４の側端から内側（側辺４２側）に向かって切り欠かれた係止溝４８であって、この第５実施形態において、係止溝４８は、入口側４８１の開口幅が、台座部１４の折曲代よりも狭く、台座部１４が係止される基底部４８２側が台座部１４の折曲代とほぼ等幅となるハの字型に形成されている。係止溝４８の基底部４８２側には、台座部１４の先端側が差し込まれる係合部４８３が設けられている。
【００７２】
頁ホルダ４６は、側板４２，４２の上端側（上辺３１側）に配置され、側板４２，４２の側端縁より側方に突出する翼片４６ａ，４６ａとして形成されている。この実施形態において、翼片４６ａ，４６ａは、基準となる水平な底縁１０ｄに対して所定角度傾斜した状態で形成されている。
【００７３】
ストッパー部４７は、第２脚片４０Ａの側辺４２，４２から直角に延設された台形状を呈し、その先端には、基台１０の第１脚片３０Ａの側辺３２，３２に相当する打ち抜き孔３２ａに沿って当接して、側板４４，４４の折曲傾斜角を規定する当接部４７１が設けられている。
【００７４】
この第５実施形態に係る書見台１ｅを組み立てるに当たっては、まず、基台１０を平面上に展開した状態で指かけ部４１１を介して第２脚片４０Ａの先端を把持し、ゆっくりと持ち上げたのち、下辺４３に沿って一旦谷折りする。
【００７５】
さらに第２脚片４０Ａを持ち上げると、第２脚片４０Ａにつられて第１脚片３０Ａが下辺３３側から持ち上げられる。第１脚片３０Ａの側辺３２，３２の基台１０からの切り離しを確認した後、第１脚片３０Ａの上辺３１に沿って山折りする。
【００７６】
次に、図１２に示すように、第２脚片４０Ａの先端を台座部１４の下面側に配置したのち、の各側板４４，４４を側辺４２，４２に沿って谷折りするが、その際、側板４４，４４を斜めに折り曲げながら、係止溝４８に台座部１４を差し込むことにより、係止溝４８の開口部４８１から台座部１４を差し込むことができる。
【００７７】
しかるのち、台座部１４の先端を係止溝４８の係合部４８３に差し込んだ後、ストッパー部４７，４７の先端部４７１を基台１０の第１脚片３０Ａの側辺３２，３２に相当する打ち抜き孔３２ａに当接させることにより、各側板４４，４４が逆ハの字状に固定され、台座部１４の前面に頁ホルダ４６が逆ハの字状に取り付けられる。
【００７８】
これによれば、係止溝４８に楽譜などの被設置部を差し込み、台座部１４に据え置くことにより、被設置物の頁めくれを防止しつつ、確実に支持することができる。
【００７９】
上記各実施形態から分かるように、本発明によれば、薄板材（好ましくは厚紙）からなる基台の複数箇所に、例えばトムソン刃により同一形態の脚部材を形成することにより、１枚の薄板材からなる書見台を安価に作製することができる。そして、不使用時には、各脚部材を基台内に含ませることにより、ほとんど１枚状態になるため、鞄等に入れて容易に持ち運ぶことができる。
【００８０】
また、使用時には、第１脚片の第１下辺側を第１上辺の折り目線を介して基台の裏面側に切り起こしたのち、第２脚片の第２上辺側を第２下辺の折り目線を介して第１脚片内から基台の表面側に切り起こし、基台の底縁を第２脚片の支持部に設けられているスリットに係止することにより、基台を所定角度に傾斜させた状態に組み立てることができる。
【００８１】
また、第２脚片の支持部には、書見物の頁のめくれを防止する頁ホルダが設けられているため、楽譜等の書見物を見開いた状態で安定してセット載置することができる。さらには、基台をＡ３サイズ以上の大きさで中央部分から２つ折り可能とすることにより、携帯時には、Ａ４サイズの大きさで持ち運ぶことができ、使用時には、Ａ３サイズに広げることにより、見開きでＡ３サイズの用紙までセットすることができる。
【符号の説明】
【００８２】
１ａ〜１ｅ  書見台
１０  基台
１０ｄ  基台の底縁
１２  舌片
１４  台座部
２０，２０Ａ  脚部材
３０，３０Ａ  第１脚片
３１  上辺（折り目線）
３２  側辺（切れ目線）
３３  下辺（切れ目線）
４０，４０Ａ  第２脚片
４０ａ  支持部
４１  上辺（切れ目線）
４２  側辺（切れ目線）
４３  下辺（折り目線）
４４  側板
４５（４５ａ，４５ｂ）  係止スリット
４６（４６ｂ，４２０）  頁ホルダ
４７  ストッパー部
４８  係止溝
４１０  支持部材
４１１（４１１ａ，４１１ｂ）  基台係止用スリット穴
４１２  頁押さえ片差込用のスリット穴
４１３（４１３ａ）  頁押さえ片の保管部
４２０  頁押さえ片
【図１】
0006719929.tif 000002
【図２】
0006719929.tif 000003
【図３】
0006719929.tif 000004
【図４】
0006719929.tif 000005
【図５】
0006719929.tif 000006
【図６】
0006719929.tif 000007
【図７】
0006719929.tif 000008
【図８】
0006719929.tif 000009
【図９】
0006719929.tif 000010
【図１０】
0006719929.tif 000011
【図１１】
0006719929.tif 000012
【図１２】
0006719929.tif 000013